(57)【要約】【課題】  共通管理アプリケーションにより複数のＩＰ電話アプリケーション間の機能の相違を吸収して、ＩＰ電話の使い勝手を向上させるようにする。【解決手段】  ＰＣ２上で動作する複数のＩＰ電話アプリケーションの各種動作を共通化するＩＰ電話アプリケーションの共通管理システムでは、ＰＣ２でＩＰ電話アプリケーション３−１，３−２，３−３を同時起動して使用する際に共通管理アプリケーション４をＯＳ４に常駐させておき、該共通管理アプリケーション５は、変換テーブル８を用いて、ＩＰ電話アプリケーション３−１，３−２，３−３の各々の音量制御に関する設定情報に基づいて、各ＩＰ電話アプリケーションの送話音量設定値および受話音量設定値をＯＳ４における音量制御のボリューム４ａの送話音量設定値および受話音量設定値にそれぞれ変換する。【選択図】図１
2007020084.tif 000002
【特許請求の範囲】
【請求項１】
パーソナルコンピュータ上で動作する複数のＩＰ電話アプリケーションの各種動作を共通化する、ＩＰ電話アプリケーションの共通管理システムであって、
パーソナルコンピュータで複数のＩＰ電話アプリケーションを同時起動して使用する際にオペレーションシステムに常駐する共通管理アプリケーションを設けておき、
該共通管理アプリケーションは、前記複数のＩＰ電話アプリケーションの各々の音量制御に関する設定情報に基づいて、各ＩＰ電話アプリケーションの送話音量設定値をオペレーションシステムにおける音量制御の送話音量設定値に変換するようにしたことを特徴とするＩＰ電話アプリケーションの共通管理システム。
【請求項２】
パーソナルコンピュータ上で動作する複数のＩＰ電話アプリケーションの各種動作を共通化する、ＩＰ電話アプリケーションの共通管理システムであって、
パーソナルコンピュータで複数のＩＰ電話アプリケーションを同時起動して使用する際にオペレーションシステムに常駐する共通管理アプリケーションを設けておき、
該共通管理アプリケーションは、前記複数のＩＰ電話アプリケーションの各々の音量制御に関する設定情報に基づいて、各ＩＰ電話アプリケーションの受話音量設定値をオペレーションシステムにおける音量制御の受話音量設定値に変換するようにしたことを特徴とするＩＰ電話アプリケーションの共通管理システム。
【請求項３】
パーソナルコンピュータ上で動作する複数のＩＰ電話アプリケーションの各種動作を共通化する、ＩＰ電話アプリケーションの共通管理システムであって、
パーソナルコンピュータで複数のＩＰ電話アプリケーションを同時起動して使用する際にオペレーションシステムに常駐する共通管理アプリケーションを設けておき、
該共通管理アプリケーションは、前記複数のＩＰ電話アプリケーションの各々の音量制御に関する設定情報に基づいて、各ＩＰ電話アプリケーションの送話音量設定値および受話音量設定値をオペレーションシステムにおける音量制御の送話音量設定値および受話音量設定値にそれぞれ変換するようにしたことを特徴とするＩＰ電話アプリケーションの共通管理システム。
【請求項４】
パーソナルコンピュータ上で動作する複数のＩＰ電話アプリケーションの各種動作を共通化する、ＩＰ電話アプリケーションの共通管理システムであって、
パーソナルコンピュータで複数のＩＰ電話アプリケーションを同時起動して使用する際にオペレーションシステムに常駐する共通管理アプリケーションを設けておき、
該共通管理アプリケーションは、前記複数のＩＰ電話アプリケーションの各々のエコーキャンセル機能の代わりに、該共通管理アプリケーションが備えるエコーキャンセル機能を用いてエコーキャンセルを行うようにしたことを特徴とするＩＰ電話アプリケーションの共通管理システム。
【請求項５】
パーソナルコンピュータ上で動作する複数のＩＰ電話アプリケーションの各種動作を共通化する、ＩＰ電話アプリケーションの共通管理システムであって、
パーソナルコンピュータで複数のＩＰ電話アプリケーションを同時起動して使用する際にオペレーションシステムに常駐する共通管理アプリケーションを設けておき、
該共通管理アプリケーションは、前記複数のＩＰ電話アプリケーションの各々が備える録音機能および再生機能の代わりに、該共通管理アプリケーションが備える録音機能および再生機能を用いて通話データの録音および録音した通話データの再生を行うようにしたことを特徴とするＩＰ電話アプリケーションの共通管理システム。
【請求項６】
パーソナルコンピュータ上で動作する複数のＩＰ電話アプリケーションの各種動作を共通化する、ＩＰ電話アプリケーションの共通管理システムであって、
パーソナルコンピュータで複数のＩＰ電話アプリケーションを同時起動して使用する際にオペレーションシステムに常駐する共通管理アプリケーションを設けておき、
該共通管理アプリケーションは、前記複数のＩＰ電話アプリケーションの各々の発信履歴情報および着信履歴情報の代わりに、前記複数のＩＰ電話アプリケーションの各々の発信履歴情報および着信履歴情報をそれぞれ時系列順に統合した共通発信履歴情報および共通着信履歴情報を各ＩＰ電話アプリケーション上に表示するようにしたことを特徴とするＩＰ電話アプリケーションの共通管理システム。
【請求項７】
パーソナルコンピュータ上で動作する複数のＩＰ電話アプリケーションの各種動作を共通化する、ＩＰ電話アプリケーションの共通管理システムであって、
パーソナルコンピュータで複数のＩＰ電話アプリケーションを同時起動して使用する際にオペレーションシステムに常駐する共通管理アプリケーションを設けておき、
該共通管理アプリケーションは、前記複数のＩＰ電話アプリケーションの各々が備える電話帳情報の代わりに、前記複数のＩＰ電話アプリケーションの各々の電話帳情報を統合した共通電話帳情報を各ＩＰ電話アプリケーション上に表示するようにしたことを特徴とするＩＰ電話アプリケーションの共通管理システム。
【発明の詳細な説明】
【技術分野】
【０００１】
本発明は、パーソナルコンピュータ上で動作する複数のＩＰ電話アプリケーションの音量制御等の各種動作を共通化する、ＩＰ電話アプリケーションの共通管理システムに関するものである。
【背景技術】
【０００２】
ＩＰ電話システムの従来例としては、パーソナルコンピュータ（以下ＰＣという）と、ＰＣ上で動作するＩＰ電話アプリケーションと、ＰＣのＵＳＢ端子に接続するＵＳＢハンドセットとを組み合わせたもの（例えば特許文献１参照）がある。この従来例のＩＰ電話システムは、電話会議装置として構成されており、ハンズフリー機能を有するＩＰ電話通話機器と、ハンズフリー機能を有していないＵＳＢハンドセット等のＩＰ電話通話機器とを切り換える（すなわち、通話パスを切り換える）ように構成されている。
【０００３】
すなわち、上記従来例のＩＰ電話システムは、図９に示すように、ネットワーク５１に接続されるＰＣ５２と、呼制御や音量制御等の各種機能を有しＰＣ５１上で動作するＩＰ電話アプリケーション５３と、ＰＣ５２を動作させる基本ソフトウエアであるオペレーションシステム（以下、ＯＳという）５４と、ＯＳ５４が有する音量制御機能であるボリューム（Ｖｏｌ）５４ａと、ＰＣ５２のＵＳＢ端子５５に接続されてＰＣ５２と連携動作するＩＰ電話通話機器であるＵＳＢハンドセット５６とから成る。ＵＳＢハンドセット５６は、送話音声用のマイク５６ａと、受話音声用のレシーバ５６ｂと、送話音声／受話音声を増幅する増幅器５６ｃ等を具備して成り、増幅器５６ｃは当該ＵＳＢハンドセット固有の増幅率（ゲイン）を有している。
【０００４】
上記従来例のＩＰ電話システムは、ＩＰ電話アプリケーション５３によってＵＳＢハンドセット５６の送話音量／受話音量を調整する音量調整機能を有しているが、ＰＣ上で複数のＩＰ電話アプリケーションを起動した場合に複数のＩＰ電話アプリケーションの各々における送話音量や受話音量が同一ボリューム値を指定した場合にほぼ同一になるように音量調整する機能は有していない。また、ＩＰ電話システムでは、一般的に、通話相手の送話音量が一定であっても受話側の周囲騒音等の環境に応じて受話音量を変化させる必要があるが、上記従来例のＩＰ電話システムは、そのような音量調整ができるように構成されていない。
【０００５】
【特許文献１】特開２００４−３２０４５７号公報
【発明の開示】
【発明が解決しようとする課題】
【０００６】
上記従来例のＩＰ電話システムでは、ＩＰ電話通話機器であるＵＳＢハンドセット５６の送話音量／受話音量は、ＵＳＢハンドセット５６の増幅率と、ＩＰ電話アプリケーション５３が指定するＯＳ５４のボリューム５４ａの音量設定値であるボリューム値（送話音量、受話音量共に、０（０×２５５）〜６５０２５（２５５×２５５）の範囲の値を取ることができる）との組み合わせによって決定されることになるが、例えば図１０（ａ）に示すように、ＰＣ５２上で複数のＩＰ電話アプリケーション（ＩＰ電話アプリケーション５３−１，ＩＰ電話アプリケーション５３−２，ＩＰ電話アプリケーション５３−３，・・）を同時起動する場合には、ＩＰ電話アプリケーション毎に指定するＯＳ５４のボリューム５４ａの音量設定値や音量設定範囲が異なるので、複数のＩＰ電話アプリケーションを切り換えて使用する際に異なる音量になってしまうため、ＩＰ電話システムのユーザは、ＩＰ電話アプリケーション毎に音量調整を強いられることになる。また、上記従来例のＩＰ電話システムでは、ＰＣ５２上で１つのＩＰ電話アプリケーションのみを起動する場合であっても、例えば図１０（ｂ）に示すように、ＰＣ５２に複数のＩＰ電話通話機器（ＵＳＢハンドセット等；ＩＰ電話通話機器５６−１，ＩＰ電話通話機器５６−２，・・）を接続する場合には、それぞれのＩＰ電話通話機器の増幅率が異なるので、複数のＩＰ電話通話機器を切り換えて使用する際に異なる音量になってしまうため、ＩＰ電話システムのユーザは、ＩＰ電話通話機器毎に音量調整を強いられることになる。
さらに、上記従来例のＩＰ電話システムでは、ＰＣ５２上で複数のＩＰ電話アプリケーションを同時起動する場合には、ＩＰ電話アプリケーション毎に、搭載されている各種機能や、電話帳や、発信履歴／着信履歴の管理方法等が異なるため、ＩＰ電話アプリケーション毎に機能設定や機能切換等の管理が必要となるので、ＩＰ電話システムのユーザは、上記管理のための作業を強いられることになる。
【０００７】
本発明は、共通管理アプリケーションを介して複数のＩＰ電話アプリケーションの各種動作や各種情報の管理方法を共通化することにより、複数のＩＰ電話アプリケーション間の機能の相違を吸収してＩＰ電話の使い勝手を向上させるようにしたＩＰ電話アプリケーションの共通管理システムを提供することを目的とする。
【課題を解決するための手段】
【０００８】
上記目的を達成するため、請求項１に記載の第１発明は、パーソナルコンピュータ上で動作する複数のＩＰ電話アプリケーションの各種動作を共通化する、ＩＰ電話アプリケーションの共通管理システムであって、パーソナルコンピュータで複数のＩＰ電話アプリケーションを同時起動して使用する際にオペレーションシステムに常駐する共通管理アプリケーションを設けておき、該共通管理アプリケーションは、前記複数のＩＰ電話アプリケーションの各々の音量制御に関する設定情報に基づいて、各ＩＰ電話アプリケーションの送話音量設定値をオペレーションシステムにおける音量制御の送話音量設定値に変換するようにしたことを特徴とする。
【０００９】
上記目的を達成するため、請求項２に記載の第２発明は、パーソナルコンピュータ上で動作する複数のＩＰ電話アプリケーションの各種動作を共通化する、ＩＰ電話アプリケーションの共通管理システムであって、パーソナルコンピュータで複数のＩＰ電話アプリケーションを同時起動して使用する際にオペレーションシステムに常駐する共通管理アプリケーションを設けておき、該共通管理アプリケーションは、前記複数のＩＰ電話アプリケーションの各々の音量制御に関する設定情報に基づいて、各ＩＰ電話アプリケーションの受話音量設定値をオペレーションシステムにおける音量制御の受話音量設定値に変換するようにしたことを特徴とする。
【００１０】
上記目的を達成するため、請求項３に記載の第３発明は、パーソナルコンピュータ上で動作する複数のＩＰ電話アプリケーションの各種動作を共通化する、ＩＰ電話アプリケーションの共通管理システムであって、パーソナルコンピュータで複数のＩＰ電話アプリケーションを同時起動して使用する際にオペレーションシステムに常駐する共通管理アプリケーションを設けておき、該共通管理アプリケーションは、前記複数のＩＰ電話アプリケーションの各々の音量制御に関する設定情報に基づいて、各ＩＰ電話アプリケーションの送話音量設定値および受話音量設定値をオペレーションシステムにおける音量制御の送話音量設定値および受話音量設定値にそれぞれ変換するようにしたことを特徴とする。
【００１１】
上記目的を達成するため、請求項４に記載の第４発明は、パーソナルコンピュータ上で動作する複数のＩＰ電話アプリケーションの各種動作を共通化する、ＩＰ電話アプリケーションの共通管理システムであって、パーソナルコンピュータで複数のＩＰ電話アプリケーションを同時起動して使用する際にオペレーションシステムに常駐する共通管理アプリケーションを設けておき、該共通管理アプリケーションは、前記複数のＩＰ電話アプリケーションの各々のエコーキャンセル機能の代わりに、該共通管理アプリケーションが備えるエコーキャンセル機能を用いてエコーキャンセルを行うようにしたことを特徴とする。
【００１２】
上記目的を達成するため、請求項５に記載の第５発明は、パーソナルコンピュータ上で動作する複数のＩＰ電話アプリケーションの各種動作を共通化する、ＩＰ電話アプリケーションの共通管理システムであって、パーソナルコンピュータで複数のＩＰ電話アプリケーションを同時起動して使用する際にオペレーションシステムに常駐する共通管理アプリケーションを設けておき、該共通管理アプリケーションは、前記複数のＩＰ電話アプリケーションの各々が備える録音機能および再生機能の代わりに、該共通管理アプリケーションが備える録音機能および再生機能を用いて通話データの録音および録音した通話データの再生を行うようにしたことを特徴とする。
【００１３】
上記目的を達成するため、請求項６に記載の第６発明は、パーソナルコンピュータ上で動作する複数のＩＰ電話アプリケーションの各種動作を共通化する、ＩＰ電話アプリケーションの共通管理システムであって、パーソナルコンピュータで複数のＩＰ電話アプリケーションを同時起動して使用する際にオペレーションシステムに常駐する共通管理アプリケーションを設けておき、該共通管理アプリケーションは、前記複数のＩＰ電話アプリケーションの各々の発信履歴情報および着信履歴情報の代わりに、前記複数のＩＰ電話アプリケーションの各々の発信履歴情報および着信履歴情報をそれぞれ時系列順に統合した共通発信履歴情報および共通着信履歴情報を各ＩＰ電話アプリケーション上に表示するようにしたことを特徴とする。
【００１４】
上記目的を達成するため、請求項７に記載の第７発明は、パーソナルコンピュータ上で動作する複数のＩＰ電話アプリケーションの各種動作を共通化する、ＩＰ電話アプリケーションの共通管理システムであって、パーソナルコンピュータで複数のＩＰ電話アプリケーションを同時起動して使用する際にオペレーションシステムに常駐する共通管理アプリケーションを設けておき、該共通管理アプリケーションは、前記複数のＩＰ電話アプリケーションの各々が備える電話帳情報の代わりに、前記複数のＩＰ電話アプリケーションの各々の電話帳情報を統合した共通電話帳情報を各ＩＰ電話アプリケーション上に表示するようにしたことを特徴とする。
【発明の効果】
【００１５】
第１発明によれば、パーソナルコンピュータ上で動作する複数のＩＰ電話アプリケーションの各種動作を共通化するＩＰ電話アプリケーションの共通管理システムでは、パーソナルコンピュータで複数のＩＰ電話アプリケーションを同時起動して使用する際にオペレーションシステムに常駐する共通管理アプリケーションを設けておき、該共通管理アプリケーションは、前記複数のＩＰ電話アプリケーションの各々の音量制御に関する設定情報に基づいて、各ＩＰ電話アプリケーションの送話音量設定値をオペレーションシステムにおける音量制御の送話音量設定値に変換するから、ＩＰ電話システムのユーザが、現在使用中のＩＰ電話アプリケーションおよび現在使用中のＩＰ電話通話機器を意識することなく、かつ、ＩＰ電話アプリケーション毎およびＩＰ電話通話機器毎に送話音量調整を行うことなく、現在使用中のＩＰ電話アプリケーションおよびＩＰ電話通話機器の組み合わせにおける送話音量がパーソナルコンピュータのオペレーションシステムにおける音量制御の送話音量設定値に変換されるので、ユーザは常に適切な送話音量で通話することができるようになり、ＩＰ電話の使い勝手が向上する。
【００１６】
第２発明によれば、パーソナルコンピュータ上で動作する複数のＩＰ電話アプリケーションの各種動作を共通化するＩＰ電話アプリケーションの共通管理システムでは、パーソナルコンピュータで複数のＩＰ電話アプリケーションを同時起動して使用する際にオペレーションシステムに常駐する共通管理アプリケーションを設けておき、該共通管理アプリケーションは、前記複数のＩＰ電話アプリケーションの各々の音量制御に関する設定情報に基づいて、各ＩＰ電話アプリケーションの受話音量設定値をオペレーションシステムにおける音量制御の受話音量設定値に変換するから、ＩＰ電話システムのユーザが、現在使用中のＩＰ電話アプリケーションおよび現在使用中のＩＰ電話通話機器を意識することなく、かつ、ＩＰ電話アプリケーション毎およびＩＰ電話通話機器毎に受話音量調整を行うことなく、現在使用中のＩＰ電話アプリケーションおよびＩＰ電話通話機器の組み合わせにおける受話音量がパーソナルコンピュータのオペレーションシステムにおける音量制御の受話音量設定値に変換されるので、ユーザは常に適切な受話音量で通話することができるようになり、ＩＰ電話の使い勝手が向上する。
【００１７】
第３発明によれば、パーソナルコンピュータ上で動作する複数のＩＰ電話アプリケーションの各種動作を共通化するＩＰ電話アプリケーションの共通管理システムでは、パーソナルコンピュータで複数のＩＰ電話アプリケーションを同時起動して使用する際にオペレーションシステムに常駐する共通管理アプリケーションを設けておき、該共通管理アプリケーションは、前記複数のＩＰ電話アプリケーションの各々の音量制御に関する設定情報に基づいて、各ＩＰ電話アプリケーションの送話音量設定値および受話音量設定値をオペレーションシステムにおける音量制御の送話音量設定値および受話音量設定値にそれぞれ変換するから、ＩＰ電話システムのユーザが、現在使用中のＩＰ電話アプリケーションおよび現在使用中のＩＰ電話通話機器を意識することなく、かつ、ＩＰ電話アプリケーション毎およびＩＰ電話通話機器毎に送話音量調整および受話音量調整を行うことなく、現在使用中のＩＰ電話アプリケーションおよびＩＰ電話通話機器の組み合わせにおける送話音量および受話音量がパーソナルコンピュータのオペレーションシステムにおける音量制御の送話音量設定値および受話音量設定値に変換されるので、ユーザは常に適切な送話音量および受話音量で通話することができるようになり、ＩＰ電話の使い勝手が向上する。
【００１８】
第４発明によれば、パーソナルコンピュータ上で動作する複数のＩＰ電話アプリケーションの各種動作を共通化する、ＩＰ電話アプリケーションの共通管理システムでは、パーソナルコンピュータで複数のＩＰ電話アプリケーションを同時起動して使用する際にオペレーションシステムに常駐する共通管理アプリケーションを設けておき、該共通管理アプリケーションは、前記複数のＩＰ電話アプリケーションの各々のエコーキャンセル機能の代わりに、該共通管理アプリケーションが備えるエコーキャンセル機能を用いてエコーキャンセルを行うから、ＩＰ電話システムのユーザが現在使用中のＩＰ電話アプリケーションを意識することなく、使用するＩＰ電話アプリケーションにおいて共通管理アプリケーションが備えるエコーキャンセル機能が用いられてエコーキャンセル動作が共通化されるので、ＩＰ電話の使い勝手が向上する。
【００１９】
第５発明によれば、パーソナルコンピュータ上で動作する複数のＩＰ電話アプリケーションの各種動作を共通化する、ＩＰ電話アプリケーションの共通管理システムでは、パーソナルコンピュータで複数のＩＰ電話アプリケーションを同時起動して使用する際にオペレーションシステムに常駐する共通管理アプリケーションを設けておき、該共通管理アプリケーションは、前記複数のＩＰ電話アプリケーションの各々が備える録音機能および再生機能の代わりに、該共通管理アプリケーションが備える録音機能および再生機能を用いて通話データの録音および録音した通話データの再生を行うから、ＩＰ電話システムのユーザが現在使用中のＩＰ電話アプリケーションを意識することなく、使用するＩＰ電話アプリケーションにおいて共通管理アプリケーションが備える録音機能および再生機能が用いられて通話データの録音動作および録音した通話データの再生動作が共通化されるので、通話データの一元管理が可能になるとともに、ＩＰ電話の使い勝手が向上する。
【００２０】
第６発明によれば、パーソナルコンピュータ上で動作する複数のＩＰ電話アプリケーションの各種動作を共通化する、ＩＰ電話アプリケーションの共通管理システムでは、パーソナルコンピュータで複数のＩＰ電話アプリケーションを同時起動して使用する際にオペレーションシステムに常駐する共通管理アプリケーションを設けておき、該共通管理アプリケーションは、前記複数のＩＰ電話アプリケーションの各々の発信履歴情報および着信履歴情報の代わりに、前記複数のＩＰ電話アプリケーションの各々の発信履歴情報および着信履歴情報をそれぞれ時系列順に統合した共通発信履歴情報および共通着信履歴情報を各ＩＰ電話アプリケーション上に表示するから、ＩＰ電話システムのユーザが現在使用中のＩＰ電話アプリケーションを意識することなく、使用するＩＰ電話アプリケーション上に、共通管理アプリケーションが前記複数のＩＰ電話アプリケーションの各々の発信履歴情報および着信履歴情報をそれぞれ時系列順に統合した共通発信履歴情報および共通着信履歴情報が表示されるので、発信履歴情報および着信履歴情報の一元管理が可能になるとともに、ＩＰ電話の使い勝手が向上する。
【００２１】
第７発明によれば、パーソナルコンピュータ上で動作する複数のＩＰ電話アプリケーションの各種動作を共通化する、ＩＰ電話アプリケーションの共通管理システムでは、パーソナルコンピュータで複数のＩＰ電話アプリケーションを同時起動して使用する際にオペレーションシステムに常駐する共通管理アプリケーションを設けておき、該共通管理アプリケーションは、前記複数のＩＰ電話アプリケーションの各々が備える電話帳情報の代わりに、前記複数のＩＰ電話アプリケーションの各々の電話帳情報を統合した共通電話帳情報を各ＩＰ電話アプリケーション上に表示するから、ＩＰ電話システムのユーザが現在使用中のＩＰ電話アプリケーションを意識することなく、使用するＩＰ電話アプリケーション上に、共通管理アプリケーションが前記複数のＩＰ電話アプリケーションの各々の電話帳情報を統合した共通電話帳情報が表示されるので、電話帳情報の一元管理が可能になるとともに、ＩＰ電話の使い勝手が向上する。
【発明を実施するための最良の形態】
【００２２】
以下、本発明を実施するための最良の形態を図面に基づき詳細に説明する。
【００２３】
図１は本発明の第１実施形態のＩＰ電話アプリケーションの共通管理システムの構成を示すブロック図である。本実施形態のＩＰ電話アプリケーションの共通管理システムは、図１に示すように、ネットワーク１に接続されるＰＣ２と、呼制御、音量制御、エコーキャンセル、ＲＴＰ解析、電話帳、発着履歴、通話録音等の各種機能を有しＰＣ２上で動作する複数（図示例では３つ）のＩＰ電話アプリケーション３−１，３−２，３−３と、ＰＣ２を動作させる基本ソフトウエアであるオペレーションシステム（以下、ＯＳという）４と、ＯＳ４が有する音量制御機能であるボリューム（Ｖｏｌ）４ａと、ＰＣ２のＯＳ４に常駐する共通管理アプリケーション５と、ＰＣ２のＵＳＢ端子６に接続されてＰＣ２と連携動作するＩＰ電話通話機器であるＵＳＢハンドセット７とから成る。ＵＳＢハンドセット７は、送話音声用のマイク７ａと、受話音声用のレシーバ７ｂと、送話音声／受話音声を増幅する増幅器７ｃ等を具備して成り、増幅器７ｃは当該ＵＳＢハンドセット固有の増幅率（ゲイン）を有している。
【００２４】
上記複数のＩＰ電話アプリケーション（ＩＰ電話アプリケーション３−１，３−２，３−３）としては、例えば、「ＵＳＢハンドセットと組み合わせて『ソフトフォン』として市販しているメーカが独自に開発したＩＰ電話アプリケーション」や、ＯＳ４として「Ｍｉｃｒｏｓｏｆｔ（登録商標）  Ｗｉｎｄｏｗｓ（登録商標）」を使用する場合にそれに付属する「Ｗｉｎｄｏｗｓ  Ｍｅｓｓｅｎｇｅｒ」等がある。したがって、ＰＣ２で、ＩＰ電話アプリケーション３−１としてのメーカＡのＩＰ電話アプリケーションと、ＩＰ電話アプリケーション３−２としてのメーカＢのＩＰ電話アプリケーションと、ＩＰ電話アプリケーション３−３としてのＷｉｎｄｏｗｓ  Ｍｅｓｓｅｎｇｅｒとを、同時に起動して使用するケースがあり得る。
【００２５】
上記共通管理アプリケーション５は、基本的には、「複数のＩＰ電話アプリケーション間の機能の相違を吸収して前記複数のＩＰ電話アプリケーションの各種動作を共通化するアプリケーション」であり、ＰＣ２でＩＰ電話アプリケーション３−１，３−２，３−３を同時起動して使用する際には、ＯＳ４に常駐させて使用するものである。さらに詳細に説明すると、本実施形態における共通管理アプリケーション５は、下記（１）〜（６）のような多数の機能を搭載（具備）している。なお、上記共通管理アプリケーション５は、下記（１）〜（６）の機能の全てを搭載する必要はなく、必要に応じて搭載する機能を選択するようにしてもよい。
（１）複数のＩＰ電話アプリケーションの各々の送話音量設定値を、ＯＳ４における音量制御のボリューム（Ｖｏｌ）４ａの送話音量設定値に変換する送話音量共通管理機能
（２）複数のＩＰ電話アプリケーションの各々の受話音量設定値を、ＯＳ４における音量制御のボリューム（Ｖｏｌ）４ａの受話音量設定値に変換する受話音量共通管理機能
（３）複数のＩＰ電話アプリケーションの各々のエコーキャンセル機能の代わりに共通管理アプリケーション５が備えるエコーキャンセル機能を用いたり、ＩＰ電話アプリケーションがエコーキャンセル機能を有していない場合にエコーキャンセル機能を追加する、エコーキャンセル動作共通化機能
（４）複数のＩＰ電話アプリケーションの各々が備える録音機能および再生機能の代わりに、共通管理アプリケーション５が備える録音機能および再生機能を用いて通話データの録音および録音した通話データの再生を行う、録音再生動作共通化機能
（５）複数のＩＰ電話アプリケーションの各々の発信履歴情報および着信履歴情報の代わりに、前記複数のＩＰ電話アプリケーションの各々の発信履歴情報および着信履歴情報をそれぞれ時系列順に統合した共通発信履歴情報および共通着信履歴情報を作成して、各ＩＰ電話アプリケーション上に表示する、発信履歴／着信履歴共通管理機能
（６）複数のＩＰ電話アプリケーションの各々が備える電話帳情報の代わりに、前記複数のＩＰ電話アプリケーションの各々の電話帳情報を統合した共通電話帳情報を各ＩＰ電話アプリケーション上に表示する、電話帳共通管理機能
以下に、それぞれの機能を図面に基づいて詳細に説明する。
【００２６】
（１）送話音量共通管理機能および（２）受話音量共通管理機能
図２（ａ），（ｂ）は第１実施形態のＩＰ電話アプリケーションの共通管理システムにおける送話音量および受話音量の共通化のための音量制御方法を説明するための図である。例えば図２（ａ）に示すように、ＯＳ４における音量制御のボリューム（Ｖｏｌ）４ａのボリューム値が「０×２５５（最小音量）」、「２０×２５５」、「４０×２５５」、「６０×２５５」、「８０×２５５」、「１００×２５５」、「１２０×２５５」、「１４０×２５５」、「１６０×２５５」、「１８０×２５５」、「２００×２５５」、「２２０×２５５」、「２５５×２５５（最大音量）」という１３段階に設定されているときに、ＩＰ電話アプリケーション３−１の６段階の音量設定値（ボリューム）のＶｏｌ．１が「２０×２５５」に対応し、Ｖｏｌ．２が「６０×２５５」に対応し、Ｖｏｌ．３が「１００×２５５」に対応し、Ｖｏｌ．４が「１２０×２５５」に対応し、Ｖｏｌ．５が「１４０×２５５」に対応し、Ｖｏｌ．６が「１８０×２５５」に対応し、ＩＰ電話アプリケーション３−２の６段階の音量設定値（ボリューム）のＶｏｌ．１が「４０×２５５」に対応し、Ｖｏｌ．２が「６０×２５５」に対応し、Ｖｏｌ．３が「１６０×２５５」に対応し、Ｖｏｌ．４が「２００×２５５」に対応し、Ｖｏｌ．５が「２２０×２５５」に対応し、Ｖｏｌ．６が「２５５×２５５」に対応し、ＩＰ電話アプリケーション３−３の６段階の音量設定値（ボリューム）のＶｏｌ．１が「０×２５５」に対応し、Ｖｏｌ．２が「８０×２５５」に対応し、Ｖｏｌ．３が「１２０×２５５」に対応し、Ｖｏｌ．４が「１６０×２５５」に対応し、Ｖｏｌ．５が「２００×２５５」に対応し、Ｖｏｌ．６が「２５５×２５５」に対応するようになっている場合には、ＩＰ電話アプリケーションにおける音量設定値（ボリューム）が同一であっても、対応するＯＳ４のボリューム値がＩＰ電話アプリケーション毎に異なるものになってしまう。
【００２７】
そこで、本実施形態では、共通管理アプリケーション５が図２（ｂ）に例示する変換テーブル８を用いて、ＩＰ電話アプリケーション３−１，３−２，３−３のＶｏｌ．１を、ＯＳ４のボリューム値「０×２５５」に対応させた共通管理アプリケーション５のＶｏｌ．１に変換し、ＩＰ電話アプリケーション３−１，３−２，３−３のＶｏｌ．２を、ＯＳ４のボリューム値「６０×２５５」に対応させた共通管理アプリケーション５のＶｏｌ．２に変換し、ＩＰ電話アプリケーション３−１，３−２，３−３のＶｏｌ．３を、ＯＳ４のボリューム値「１００×２５５」に対応させた共通管理アプリケーション５のＶｏｌ．３に変換し、ＩＰ電話アプリケーション３−１，３−２，３−３のＶｏｌ．４を、ＯＳ４のボリューム値「１４０×２５５」に対応させた共通管理アプリケーション５のＶｏｌ．４に変換し、ＩＰ電話アプリケーション３−１，３−２，３−３のＶｏｌ．５を、ＯＳ４のボリューム値「１８０×２５５」に対応させた共通管理アプリケーション５のＶｏｌ．５に変換し、ＩＰ電話アプリケーション３−１，３−２，３−３のＶｏｌ．６を、ＯＳ４のボリューム値「２５５×２５５」に対応させた共通管理アプリケーション５のＶｏｌ．６に変換するようにしている。
なお、本実施形態では、図２（ｂ）に示す変換テーブル８を送話音量および受話音量の双方に用いているが、送話音量および受話音量で異なる変換テーブルを用いるようにしてもよい。
【００２８】
ところで、上記図２（ａ），（ｂ）に示す音量制御方法では、ＩＰ電話アプリケーションの音量設定値としてＶｏｌ．１〜Ｖｏｌ．６の６段階のボリューム値を取り得る「ディジタル方式ボリューム」を用いているが、ＩＰ電話アプリケーションによっては、操作画面上の「音量調整つまみ」によって音量設定値を連続的に調整し得る「アナログ方式ボリューム」を用いて微妙な音量調整を可能にしたＩＰ電話アプリケーションも存在する。その場合には、図３に例示する変換テーブル９を用いればよい。
すなわち、アナログ方式ボリュームを使用するＩＰ電話アプリケーション３−４は、送話音量、受話音量共に、ＯＳ４のボリューム４ａのボリューム値の「０×２５５」〜「２５５×２５５」の範囲の値を設定することができ、アナログ方式ボリュームを使用するＩＰ電話アプリケーション３−５は、送話音量、受話音量共に、ＯＳ４のボリューム４ａのボリューム値の「５０×２５５」〜「２００×２５５」の範囲の値を設定することができ、アナログ方式ボリュームを使用するＩＰ電話アプリケーション３−６は、送話音量、受話音量共に、ＯＳ４のボリューム４ａのボリューム値の「１０×２５５」〜「２３０×２５５」の範囲の値を設定することができる場合には、共通管理アプリケーション５が図３に示す変換テーブル９を用いることにより、ＩＰ電話アプリケーション３−４，３−５，３−６の上記音量設定範囲は、送話音量、受話音量共に、ＯＳ４のボリューム４ａのボリューム値の「１０×２５５」〜「２５０×２５５」の範囲に変換されることになる。
【００２９】
本実施形態のＩＰ電話アプリケーションの共通管理システムによれば、送話音量および受話音量を共通管理するための音量制御を行う際に、共通管理アプリケーション５は、図２（ａ）に示すＩＰ電話アプリケーション３−１，３−２，３−３の各々の音量制御に関する設定情報（各ＩＰ電話アプリケーションのＶｏｌ．１〜Ｖｏｌ．６とＯＳ４のボリューム値「０×２５５」〜「２５５×２５５」との対応関係を示す情報）に基づいて、図２（ｂ）に例示する変換テーブル８を用いて、各ＩＰ電話アプリケーションの送話音量のボリューム設定値および受話音量設定値（Ｖｏｌ．１〜Ｖｏｌ．６）をＯＳ４における音量制御の送話音量設定値および受話音量設定値（「０×２５５」〜「２５５×２５５」の何れか１つ）にそれぞれ変換するから、ＩＰ電話システムのユーザが、現在使用中のＩＰ電話アプリケーションがＩＰ電話アプリケーション３−１，３−２，３−３のどれであるか、および、現在使用中のＩＰ電話通話機器が何であるかを意識することなく、かつ、ＩＰ電話アプリケーション毎およびＩＰ電話通話機器毎に送話音量調整および受話音量調整を行うことなく、現在使用中のＩＰ電話アプリケーションおよびＩＰ電話通話機器の組み合わせにおける送話音量および受話音量（Ｖｏｌ．１〜Ｖｏｌ．６）がＰＣ２のＯＳ４における音量制御の送話音量設定値および受話音量設定値（「０×２５５」〜「２５５×２５５」の何れか１つ）に変換されるので、ユーザは常に適切な送話音量および受話音量で通話することができるようになり、ＩＰ電話の使い勝手が向上する。
【００３０】
また、本実施形態のＩＰ電話アプリケーションの共通管理システムによれば、送話音量および受話音量を共通管理するための音量制御を行う際に、共通管理アプリケーション５は、図３に例示する変換テーブル９を用いて、各ＩＰ電話アプリケーションの送話音量のボリューム設定値および受話音量設定値（ＯＳ４のボリューム値の「０×２５５」〜「２５５×２５５」の範囲の値、「５０×２５５」〜「２００×２５５」の範囲の値、「１０×２５５」〜「２３０×２５５」の範囲の値）をＯＳ４における音量制御の送話音量設定値および受話音量設定値（「１０×２５５」〜「２５０×２５５」の範囲の値）にそれぞれ変換するから、ＩＰ電話システムのユーザが、現在使用中のＩＰ電話アプリケーションがＩＰ電話アプリケーション３−４，３−５，３−６のどれであるか、および、現在使用中のＩＰ電話通話機器が何であるかを意識することなく、かつ、ＩＰ電話アプリケーション毎およびＩＰ電話通話機器毎に送話音量調整および受話音量調整を行うことなく、現在使用中のＩＰ電話アプリケーションおよびＩＰ電話通話機器の組み合わせにおける送話音量および受話音量（ＯＳ４のボリューム値の「０×２５５」〜「２５５×２５５」の範囲の値、「５０×２５５」〜「２００×２５５」の範囲の値、「１０×２５５」〜「２３０×２５５」の範囲の値）がＰＣ２のＯＳ４における音量制御の送話音量設定値および受話音量設定値（「１０×２５５」〜「２５０×２５５」の範囲の値）に変換されるので、ユーザは常に適切な送話音量および受話音量で通話することができるようになり、ＩＰ電話の使い勝手が向上する。
【００３１】
（３）エコーキャンセル動作共通化機能
図４は第１実施形態のＩＰ電話アプリケーションの共通管理システムにおけるエコーキャンセル動作の共通化方法を説明するための図である。一般に、ＩＰ電話アプリケーションの中には、音声データとしてやり取りされるＲＴＰパケットの内容を解析することにより通話時に発生するエコーを低減する、エコーキャンセル機能を有しているＩＰ電話アプリケーションもあるが、エコーキャンセル機能を有しているＩＰ電話アプリケーションであっても、エコーキャンセルの能力や特性はＩＰ電話アプリケーション毎に異なるものとなっており、また、ＩＰ電話アプリケーションによっては、エコーキャンセル機能自体を有していないＩＰ電話アプリケーションもある。図４は、ＩＰ電話アプリケーション３−１，３−２がエコーキャンセル機能を有しているＩＰ電話アプリケーションであり、ＩＰ電話アプリケーション３−３がエコーキャンセル機能を有していないＩＰ電話アプリケーションである場合を例示している。本実施形態のＩＰ電話アプリケーションの共通管理システムは、ＰＣ２で複数のＩＰ電話アプリケーションを同時起動して使用する際には共通管理アプリケーション５がＯＳ４に常駐するようにしているため、例えば図４に示すようなＩＰ電話アプリケーション３−１，３−２，３−３を同時起動して使い分ける場合には、各ＩＰ電話アプリケーションのエコーキャンセル機能の有無に拘わらず、常に共通管理アプリケーション５のＲＴＰ解析機能およびエコーキャンセル機能を使用するように構成されている。なお、共通管理アプリケーション５のエコーキャンセル機能としては、例えば「ＩＴＵ−Ｔ  Ｇ．１６５によるエコーキャンセル処理」を用いるものとする。
【００３２】
本実施形態のＩＰ電話アプリケーションの共通管理システムによれば、共通管理アプリケーション５のＲＴＰ解析機能によって通話時に受信するＲＴＰパケットが解析され、その解析結果に基づいて共通管理アプリケーション５のエコーキャンセル機能がエコーキャンセル処理を施した音声（音声データ）をＩＰ電話通話機器（ＵＳＢハンドセット）７に送信するので、ＩＰ電話アプリケーション毎のエコーキャンセル機能の有無やエコーキャンセル能力の違いが吸収されることになり、ＩＰ電話アプリケーション毎のエコーキャンセル能力の相違等は共通管理アプリケーション５によって実施されるエコーキャンセルには全く影響しないことになる。したがって、ＩＰ電話システムのユーザが現在使用中のＩＰ電話アプリケーションを意識することなく、使用するＩＰ電話アプリケーションにおいて共通管理アプリケーション５が具備する所望の特性のエコーキャンセル機能が用いられてエコーキャンセル動作が共通化されるので、ＩＰ電話の使い勝手が向上する。
【００３３】
（４）録音再生動作共通化機能
図５は第１実施形態のＩＰ電話アプリケーションの共通管理システムにおける録音再生動作の共通化方法を説明するための図である。ＩＰ電話アプリケーションは、通常、録音機能／再生機能（以下、録音再生機能という）を有しているが、その録音再生機能はＩＰ電話アプリケーション毎に管理する構成になっている。そのため、図５に例示するような、各々が録音再生機能を有するＩＰ電話アプリケーション３−７，３−８，３−９を同時起動して使い分ける場合には、「どのＩＰ電話アプリケーションに録音された通話データが存在するかが分からないため、通話データを再生したい場合には全てのＩＰ電話アプリケーションにおいて録音された通話データの有無を確認する必要があり、面倒である」、「録音に使用したＩＰ電話アプリケーション毎に録音レベルが異なるため、再生時に過大音量になったり過小音量になったりする」等の問題が生じる。
【００３４】
そこで、本実施形態のＩＰ電話アプリケーションの共通管理システムでは、図５に示すように、ＩＰ電話アプリケーション３−７，３−８，３−９の録音再生機能とは別に、ＯＳ４に常駐する共通管理アプリケーション５内に各ＩＰ電話アプリケーション共通の録音再生機能を設けている。これにより、何れかのＩＰ電話アプリケーションで通話データを録音する（すなわち、通話時に送受信させる通話音声またはＲＴＰパケットを録音する）ときには当該ＩＰ電話アプリケーションの録音再生機能の代わりに共通管理アプリケーション５の共通の録音再生機能を用いて通話データを録音し、何れかのＩＰ電話アプリケーションで録音済みの通話データを再生するときには当該ＩＰ電話アプリケーションの録音再生機能の代わりに共通管理アプリケーション５の共通の録音再生機能を用いて所望の録音済みの通話データを再生するようにしている。
【００３５】
本実施形態のＩＰ電話アプリケーションの共通管理システムによれば、各ＩＰ電話アプリケーション録音再生機能の代わりに共通管理アプリケーション５の共通の録音再生機能を用いて通話データの録音および録音済みの通話データの再生を行うから、ＩＰ電話システムのユーザが現在使用中のＩＰ電話アプリケーションを意識することなく、使用するＩＰ電話アプリケーションにおいて共通管理アプリケーションが備える録音機能および再生機能を用いて通話データの録音動作および録音した通話データの再生動作が共通化されるので、通話データの一元管理が可能になるとともに、ＩＰ電話の使い勝手が向上する。
また、共通管理アプリケーション５の共通の録音再生機能を用いて通話データを録音する際には、例えば上述した図２（ｂ）の変換テーブルを用いて音量調整した後に通話データを録音するから、録音済みの通話データはＩＰ電話アプリケーションによる音量のばらつきの無いものとなる。さらに、録音済みの通話データを再生する際には、ＩＰ電話アプリケーションによって音量調整することなく共通管理アプリケーション５の音量調整で再生するから、再生される通話データはＩＰ電話アプリケーションによる音量のばらつきの無いものとなる。なお、録音済みの通話データは、共通管理アプリケーション５以外の音声再生専用アプリケーションで再生することも考えられるので、録音時に音量調整しておく方が好ましい。
【００３６】
（５）発信履歴／着信履歴共通管理機能
図５は第１実施形態のＩＰ電話アプリケーションの共通管理システムにおける発信履歴／着信履歴の共通管理方法を説明するための図である。ＩＰ電話アプリケーションは、通常、発信履歴／着信履歴理機能（以下、発着履歴機能という）を有しているが、その発着履歴機能はＩＰ電話アプリケーション毎に管理するように構成されている。そのため、図５に例示するような、各々が発着履歴理機能を有するＩＰ電話アプリケーション３−７，３−８，３−９を同時起動して使い分ける場合には、「不在時の着信履歴を確認したり最近の発信履歴を利用したい場合には全てのＩＰ電話アプリケーションで発着履歴／着信履歴を確認する必要があり、面倒である」等の問題が生じる。
【００３７】
そこで、本実施形態のＩＰ電話アプリケーションの共通管理システムでは、図５に示すように、ＩＰ電話アプリケーション３−７，３−８，３−９の発着履歴機能とは別に、ＯＳ４に常駐する共通管理アプリケーション５内に各ＩＰ電話アプリケーション共通の発着履歴機能を設けている。この共通管理アプリケーション５の発着履歴機能は、Ｈ．３２３やＳＩＰ等の通信プロトコルを認識して、ＰＣ２でＩＰ電話アプリケーション３−７，３−８，３−９がやりとりする呼制御パケットを解析することにより、各ＩＰ電話アプリケーションがダイヤルした発信先電話番号情報や各ＩＰ電話アプリケーションが受信した通話の発信元電話番号情報を当該ＩＰ電話アプリケーションと同時に認識するので、各ＩＰ電話アプリケーションの発着履歴情報を統合して、全ての発着履歴情報を一元管理するように構成されている。
【００３８】
上記各ＩＰ電話アプリケーションの発着履歴の統合は、例えば図６、図７のフローチャートによって行うものとする。すなわち、発信履歴に関しては、まず、図６のステップＳ１において何れかのＩＰ電話アプリケーションからの発信（ダイヤル入力操作）が検出されると、次のステップＳ２では、当該ＩＰ電話アプリケーションで入力された発信先電話番号情報を共通管理アプリケーション５が読み取り、次のステップＳ３では、読み取った発信先電話番号情報を共通管理アプリケーション５の共通発信履歴情報に時系列順に統合する。その後、ステップＳ４で何れかのＩＰ電話アプリケーションからの発信履歴表示要求（例えば操作画面上の発信履歴表示ボタンの押下）が検出されると、次のステップＳ５では、共通管理アプリケーション５の共通発信履歴情報を当該ＩＰ電話アプリケーション上に表示する。一方、着信履歴に関しては、まず、図７のステップＳ１１において何れかのＩＰ電話アプリケーションへのの着信が検出されると、次のステップＳ１２では、当該ＩＰ電話アプリケーション上に表示された発信元電話番号情報を共通管理アプリケーション５が読み取り、次のステップＳ１３では、読み取った発信元電話番号情報を共通管理アプリケーション５の共通着信履歴情報に時系列順に統合する。その後、ステップＳ１４で何れかのＩＰ電話アプリケーションからの着信履歴表示要求（例えば操作画面上の着信履歴表示ボタンの押下）が検出されると、次のステップＳ５では、共通管理アプリケーション５の共通着信履歴情報を当該ＩＰ電話アプリケーション上に表示する。
なお、上記図６、図７では、発信履歴表示要求／着信履歴表示要求に応じて発信履歴／着信履歴を表示するようにしているが、ＩＰ電話アプリケーションの起動に応じて発信履歴／着信履歴を操作画面上に自動表示するようにしてもよい。
【００３９】
本実施形態のＩＰ電話アプリケーションの共通管理システムによれば、共通管理アプリケーション５は、ＩＰ電話アプリケーション３−７，３−８，３−９の各々の発信履歴情報および着信履歴情報の代わりに、ＩＰ電話アプリケーション３−７，３−８，３−９の各々の発信履歴情報および着信履歴情報をそれぞれ時系列順に統合した共通発信履歴情報および共通着信履歴情報を作成して、発信履歴表示要求を送出したＩＰ電話アプリケーション上および着信履歴表示要求を送出したＩＰ電話アプリケーション上に共通発信履歴情報および共通着信履歴情報をそれぞれ表示するから、ＩＰ電話システムのユーザが現在使用中のＩＰ電話アプリケーションを意識することなく、使用するＩＰ電話アプリケーション上には、共通管理アプリケーション５がＩＰ電話アプリケーション３−７，３−８，３−９の各々の発信履歴情報および着信履歴情報をそれぞれ時系列順に統合した共通発信履歴情報および共通着信履歴情報が表示されるので、発着履歴データの一元管理が可能になるとともに、ユーザが不在中の着信履歴を確認したり最近の発信履歴を参照したりする際には、共通管理アプリケーション５の共通着信履歴情報を確認したり共通発信履歴情報を参照したりするだけで事足りるので、ＩＰ電話の使い勝手が向上する。
【００４０】
（６）電話帳共通管理機能
図５は第１実施形態のＩＰ電話アプリケーションの共通管理システムにおける電話帳の共通管理方法を説明するための図である。ＩＰ電話アプリケーションは、通常、電話帳機能を有しているが、その電話帳機能はＩＰ電話アプリケーション毎に管理するように構成されている。そのため、図５に例示するような、各々が電話帳機能を有するＩＰ電話アプリケーション３−７，３−８，３−９を同時起動して使い分ける場合には、「あるＩＰ電話アプリケーションの電話帳に登録されている連絡先情報と他のＩＰ電話アプリケーションの電話帳に登録されている連絡先情報とは必ずしも一致しないため、特定のＩＰ電話アプリケーションの電話帳のみに登録されている連絡先情報を利用して発信したい場合には該当する連絡先情報が見つかるまでＩＰ電話アプリケーションの電話帳を参照する必要があり、面倒である」等の問題がある。
【００４１】
そこで、本実施形態のＩＰ電話アプリケーションの共通管理システムでは、図５に示すように、ＩＰ電話アプリケーション３−７，３−８，３−９の電話帳機能とは別に、ＯＳ４に常駐する共通管理アプリケーション５内に各ＩＰ電話アプリケーション共通の電話帳機能を設けている。この共通管理アプリケーション５の電話帳機能は、ＩＰ電話アプリケーション３−７，３−８，３−９の電話帳情報（電話帳データベース）を統合した共通電話帳情報（共通電話帳データベース）を共通管理アプリケーション５内に設けることにより、全てのＩＰ電話アプリケーションの電話帳情報を共通管理アプリケーション５で一元管理するように構成されている。
【００４２】
上記各ＩＰ電話アプリケーションの電話帳情報の統合は、例えば図８のフローチャートによって行うものとする。すなわち、まず、図８のステップＳ２１において共通管理アプリケーション５が全てのＩＰ電話アプリケーションを監視しているとき、ステップＳ２２で何れかのＩＰ電話アプリケーションの電話帳情報の変更が共通管理アプリケーション５によって検出されると、次のステップＳ２３では、当該ＩＰ電話アプリケーションの電話帳情報の変更情報を共通管理アプリケーション５が読み取り、次のステップＳ２４では、読み取った電話帳情報の変更情報に基づいて、全てのＩＰ電話アプリケーションの電話帳情報を統合した共通管理アプリケーション５の共通電話帳情報を更新する。その後、ステップＳ２５で何れかのＩＰ電話アプリケーションからの電話帳参照要求（例えば操作画面上の電話帳参照ボタンの押下）が検出されると、次のステップＳ２６では、共通管理アプリケーション５の共通電話帳情報を当該ＩＰ電話アプリケーション上に表示する。
【００４３】
本実施形態のＩＰ電話アプリケーションの共通管理システムによれば、共通管理アプリケーション５は、ＩＰ電話アプリケーション３−７，３−８，３−９の何れかのＩＰ電話アプリケーションの電話帳情報の変更時に読み取った当該電話帳情報の変更情報に基づいて、ＩＰ電話アプリケーション３−７，３−８，３−９の各々の電話帳情報を統合した共通電話帳情報を更新して、電話帳参照要求を送出したＩＰ電話アプリケーション上に共通管理アプリケーション５の共通電話帳情報を表示するから、ＩＰ電話システムのユーザが現在使用中のＩＰ電話アプリケーションを意識することなく、使用するＩＰ電話アプリケーション上に、共通管理アプリケーション５がＩＰ電話アプリケーション３−７，３−８，３−９の各々の電話帳情報を統合した共通電話帳情報が表示されるので、電話帳情報の一元管理が可能になるとともに、ＩＰ電話の使い勝手が向上する。
【図面の簡単な説明】
【００４４】
【図１】本発明の第１実施形態のＩＰ電話アプリケーションの共通管理システムの構成を示すブロック図である。
【図２】（ａ），（ｂ）は第１実施形態のＩＰ電話アプリケーションの共通管理システムにおける送話音量および受話音量の共通化のための音量制御方法を説明するための図である。
【図３】第１実施形態のＩＰ電話アプリケーションの共通管理システムにおける送話音量および受話音量の音量制御に用いる変換テーブルを例示する図である。
【図４】第１実施形態のＩＰ電話アプリケーションの共通管理システムにおけるエコーキャンセル動作の共通化方法を説明するための図である。
【図５】第１実施形態のＩＰ電話アプリケーションの共通管理システムにおける録音再生動作の共通化方法ならびに発信履歴／着信履歴および電話帳の共通管理方法を説明するための図である。
【図６】第１実施形態のＩＰ電話アプリケーションの共通管理システムにおける各ＩＰ電話アプリケーションの発信履歴の統合処理を例示するフローチャートである。
【図７】第１実施形態のＩＰ電話アプリケーションの共通管理システムにおける各ＩＰ電話アプリケーションの着信履歴の統合処理を例示するフローチャートである。
【図８】第１実施形態のＩＰ電話アプリケーションの共通管理システムにおける各ＩＰ電話アプリケーションの電話帳情報の統合処理を例示するフローチャートである。
【図９】従来例のＩＰ電話システムにおけるＩＰ電話アプリケーションによる音量制御を説明するための図である。
【図１０】（ａ），（ｂ）は従来例のＩＰ電話システムにおけるＩＰ電話アプリケーションによる音量制御の問題点を説明するための図である。
【符号の説明】
【００４５】
１  ネットワーク
２  パーソナルコンピュータ（ＰＣ）
３−１〜３−９  ＩＰ電話アプリケーション
４  オペレーションシステム（ＯＳ）
４ａ  ボリューム（Ｖｏｌ）
５  共通管理アプリケーション
６  ＵＳＢ端子
７  ＩＰ電話通話機器（ＵＳＢハンドセット）
７ａ  マイク
７ｂ  レシーバ
７ｃ  増幅器
８，９  変換テーブル
【図１】
2007020084.tif 000003
【図２】
2007020084.tif 000004
【図３】
2007020084.tif 000005
【図４】
2007020084.tif 000006
【図５】
2007020084.tif 000007
【図６】
2007020084.tif 000008
【図７】
2007020084.tif 000009
【図８】
2007020084.tif 000010
【図９】
2007020084.tif 000011
【図１０】
2007020084.tif 000012